(57)【特許請求の範囲】
【請求項１】
取付杆にスライド可能に連結される、長孔を有し板状に形成され長手方向の両端部に樋耳支持部を有した樋支持具本体と、横方向に回動されるロックレバーとを備え、これらを重ねて上下に貫通する固定具で連結し、前記樋支持具本体が所望の位置で固定される軒樋支持具において、
前記ロックレバーは、前記樋支持具本体と略平行に配される基板部と、該基板部の対向する両側端より下方に延設された把持部とを有しており、該基板部には、前記固定具が挿通される挿通孔を略中央に有しており、
前記固定具は、その両端部に前記樋支持具本体と前記取付杆とを挟持するフランジ部を備えており、
前記ロックレバーの前記基板部の下面と、前記基板部の挿通孔より下方に挿通された前記固定具の前記フランジ部との間には、前記挿通孔の周方向に沿って複数のばね舌片が設けられており、
前記ばね舌片は、前記挿通孔の周縁の外周部を介した外側に、前記基板部の一部を前記把持部間側に傾斜状に切り起こして平面視湾曲形状に形成されており、
前記ロックレバーの回転操作によりロック位置とアンロック位置とに切り替えが自在とされており、
前記ロック位置のときには、前記ばね舌片が弾性変形して前記フランジ部と前記基板部との間で弾発力が作用するように固定される一方、前記アンロック位置のときには、前記ばね舌片が復帰状態となることを特徴とする軒樋支持具。
【請求項２】
取付杆にスライド可能に連結される、長孔を有し板状に形成され長手方向の両端部に樋耳支持部を有した樋支持具本体と、横方向に回動されるロックレバーとを備え、これらを重ねて上下に貫通する固定具で連結し、前記樋支持具本体が所望の位置で固定される軒樋支持具において、
前記ロックレバーは、前記樋支持具本体と略平行に配される基板部を有しており、該基板部には、前記固定具が挿通される挿通孔を略中央に有しており、
前記固定具は、その両端部に前記樋支持具本体と前記取付杆とを挟持するフランジ部を備えており、
前記ロックレバーの前記基板部の下面と、前記基板部の挿通孔より下方に挿通された前記固定具の前記フランジ部との間には、前記挿通孔の周方向に沿って複数のばね舌片が設けられており、
前記ばね舌片は、前記挿通孔を有した円盤体よりなるばね座金に設けられており、前記挿通孔の外側において、前記円盤体の外側より中心に向けて前記ばね舌片の幅寸法に相当する切れ込みを入れ、該切れ込みの中心側の端部より円周方向の隣の切れ込みの端部に近づくように切れ込みを入れることで形成され、前記ばね舌片の基端部が前記挿通孔の外周部と同一平面とされ、前記ロックレバーの前記基板部、前記固定具の前記フランジ部のいずれかに対して、先端部に向けて傾斜状に立ち上がる形状となっており、
前記ロックレバーの回転操作によりロック位置とアンロック位置とに切り替えが自在とされており、
前記ロック位置のときには、前記ばね舌片が弾性変形して前記フランジ部と前記基板部との間で弾発力が作用するように固定される一方、前記アンロック位置のときには、前記ばね舌片が復帰状態となることを特徴とする軒樋支持具。
【発明の詳細な説明】
【技術分野】
【０００１】
本発明は軒樋支持具に関する。
【背景技術】
【０００２】
従来、横回転ロック式の軒樋支持具には、環状の一部が段差状に切れた段差部にばね性を持たせたばね座金が利用されている（たとえば、特許文献１参照）。この軒樋支持具では、ばね座金をボルト頭の裏面またはナットの裏面に配し、ボルト、ナットを螺着して締結すすることで、段差部がフランジ部（ボルト頭またはナット）に押圧されてばね性が作用する。
【０００３】
特許文献１に記載された軒樋支持具は、対象部材の締結用の固定具としてリベットが用いられており、ばね座金はリベットのかしめ部側に装着されている。リベットはボルト、ナットとは異なり、半永久的な締結用途に用いられる場合が多く、上記軒樋支持具のように回転操作でロック／アンロックの切り替え操作をするようなものでは、回転操作によりロック位置に移行した場合に弛みが発生することがないリベットを固定具として好適に使用している。
【先行技術文献】
【特許文献】
【０００４】
【特許文献１】特開２００２−３３２７２９号公報
【発明の概要】
【発明が解決しようとする課題】
【０００５】
上述したように、この種のばね座金はボルト、ナットを用いた構造のものでは、ボルト、ナットが不良品でない限り、ばね座金の段差部はボルト、ナットの螺着により確実に押圧されるので、問題なく弾発力が作用する。
【０００６】
これに対して、ばね座金をリベットに使用する場合、かしめ部はリベットハンマーなどの工具を用いて形成されるものであるため、リベットの軸に対して歪んだ状態に形成される場合もある。つまり、そのような場合には、リベットのかしめ部の裏面は、リベット取り付けの対象部材の面に平行にはならない可能性がある。そのようなかしめ不良があるものについては、フランジ部（かしめ部）の押圧力がばね座金の偏った部位にのみ作用することとなる。したがって、ばね座金の段差部に押圧力が作用しないおそれもあり、その場合には当然に弾発力は作用しない。よって、ロック状態にあるのに部材間の弛みが発生するおそれがある。
【０００７】
本発明は、このような事情を考慮して提案されたもので、その目的は、固定具による押圧部位が偏っている場合でもばね性が適正に作用するようにした軒樋支持具を提供することにある。
【課題を解決するための手段】
【０００８】
上記目的を達成するために、請求項１に記載の軒樋支持具は、取付杆にスライド可能に連結される、長孔を有し板状に形成され長手方向の両端部に樋耳支持部を有した樋支持具本体と、横方向に回動されるロックレバーとを備え、これらを重ねて上下に貫通する固定具で連結し、樋支持具本体が所望の位置で固定される軒樋支持具において、ロックレバーは、樋支持具本体と略平行に配される基板部と、基板部の対向する両側端より下方に延設された把持部とを有しており、基板部には、固定具が挿通される挿通孔を略中央に有しており、固定具は、その両端部に樋支持具本体と取付杆とを挟持するフランジ部を備えており、ロックレバーの基板部の下面と、基板部の挿通孔より下方に挿通された固定具のフランジ部との間には、挿通孔の周方向に沿って複数のばね舌片が設けられており、ばね舌片は、挿通孔の周縁の外周部を介した外側に、基板部の一部を把持部間側に傾斜状に切り起こして平面視湾曲形状に形成されており、ロックレバーの回転操作によりロック位置とアンロック位置とに切り替えが自在とされており、ロック位置のときには、ばね舌片が弾性変形してフランジ部と基板部との間で弾発力が作用するように固定される一方、アンロック位置のときには、ばね舌片が復帰状態となることを特徴とする。
【０００９】
請求項２に記載の軒樋支持具は、取付杆にスライド可能に連結される、長孔を有し板状に形成され長手方向の両端部に樋耳支持部を有した樋支持具本体と、横方向に回動されるロックレバーとを備え、これらを重ねて上下に貫通する固定具で連結し、樋支持具本体が所望の位置で固定される軒樋支持具において、ロックレバーは、樋支持具本体と略平行に配される基板部を有しており、基板部には、固定具が挿通される挿通孔を略中央に有しており、固定具は、その両端部に樋支持具本体と取付杆とを挟持するフランジ部を備えており、ロックレバーの基板部の下面と、基板部の挿通孔より下方に挿通された固定具のフランジ部との間には、挿通孔の周方向に沿って複数のばね舌片が設けられており、ばね舌片は、挿通孔を有した円盤体よりなるばね座金に設けられており、挿通孔の外側において、円盤体の外側より中心に向けてばね舌片の幅寸法に相当する切れ込みを入れ、該切れ込みの中心側の端部より円周方向の隣の切れ込みの端部に近づくように切れ込みを入れることで形成され、ばね舌片の基端部が挿通孔の外周部と同一平面とされ、ロックレバーの基板部、固定具のフランジ部のいずれかに対して、先端部に向けて傾斜状に立ち上がる形状となっており、ロックレバーの回転操作によりロック位置とアンロック位置とに切り替えが自在とされており、ロック位置のときには、ばね舌片が弾性変形してフランジ部と基板部との間で弾発力が作用するように固定される一方、アンロック位置のときには、ばね舌片が復帰状態となることを特徴とする。
【発明の効果】
【００１１】
請求項１または２に記載の軒樋支持具は上述の構成となっているため、固定具がばね舌片を均等に押圧できず偏った部位のみを押圧する場合でも、いずれかのばね舌片が押圧され弾性変形して弾発力が作用する。そのため、ロック位置の場合にずれが発生するおそれがない。
【００１２】
また、請求項１に記載の軒樋支持具によれば、ばね座金などの他の部材を用いなくても、軒樋支持具にばね作用を持たせることができる。また、部品点数を減らせられる。
【００１３】
また、請求項２に記載の軒樋支持具によれば、既存の軒樋支持具に上述した構成のばね座金を付加すれば、一体型のもの（請求項１に記載のもの）と同様の効果が奏せられる。
【図面の簡単な説明】
【００１４】
【図１】本発明の一実施形態に係る軒樋支持具に用いられるばね舌片（を有したばね座金）の説明図である。（ａ）はばね座金の斜視図、（ｂ）は同平面図である。
【図２】（ａ）（ｂ）は、ばね座金の２種の使用態様を示したばね座金の側面図である。
【図３】固定具の締結状態におけるばね座金の使用態様の一例を示した側面図である。
【図４】本発明の他の実施形態に係るばね舌片（を有したばね座金）の説明図である。（ａ）はばね座金の平面図、（ｂ）は同側面図である。
【図５】（ａ）は本発明の一実施形態に係る軒樋支持具の分解斜視図、（ｂ）はこの軒樋支持具に用いられているばね座金の拡大側面図である。
【図６】軒樋支持具の要部を拡大した概略底面図である。（ａ）はロック位置、（ｂ）はアンロック位置の図である。
【図７】軒樋支持具の要部を拡大した概略縦断面図である。（ａ）はロック位置、（ｂ）はアンロック位置の図である。
【図８】本発明の他の実施形態に係る軒樋支持具の説明図である。（ａ）はばね舌片を有したロックレバーの基板部の一部拡大平面図、（ｂ）は基板部の部分斜視図である。
【図９】軒樋支持具の要部を拡大した概略縦断面図である。（ａ）はロック位置、（ｂ）はアンロック位置の図である。
【図１０】（ａ）はばね舌片の他の例を示す平面図、（ｂ）は（ａ）のＡ−Ａ線に対応した部分拡大縦断面図である。
【発明を実施するための形態】
【００１５】
以下に、本発明の実施の形態に係る軒樋支持具について、添付図面にもとづいて説明する。まず、図５に示した軒樋支持具Ａに用いられるばね座金１の基本構成について説明する。
【００１６】
このばね座金１は、図１（ａ）（ｂ）に示したように、中央に固定具３貫通用の挿通孔１ａを有した座金である。このばね座金１は、挿通孔１ａの外側に、概ね周方向に沿って複数のばね舌片１ｂを備えている。
【００１７】
本ばね座金１はこのような形状であるため、このばね座金１を用いて対象部材を固定具３で締結する際には、周方向に円周方向のいずれの位置でも均等にばね性を利かせられる。そのため、固定具３がどのような状態であっても、ばね座金１が作用する。
【００１８】
ついで、図１に示したばね座金１の詳細な構成、効果について説明する。
【００１９】
このばね座金１は、上述したように、中央に固定具貫通用の挿通孔１ａを有し、その外側に３つのばね舌片１ｂを備えている。挿通孔１ａにはボルト３Ａ（図３参照）、リベット３Ｃ（図５参照）などの軸状の固定具３の軸部３ｂが挿通される。
【００２０】
ばね舌片１ｂは、外周縁部に円周（弧）に沿って湾曲帯板状に形成され、それら３片は略等形状、略等寸法とされる。これらのばね舌片１ｂは均等にばね性が作用するように略等形状、略等寸法とすることが望ましいが、円周方向のどの位置でもばね性が作用すれば、形状的、寸法的に同じでなくてもよい。
【００２１】
ばね舌片１ｂは、円盤体の外側より中心に向けてばね舌片１ｂの幅寸法に相当する短い切れ込み１ｄを入れ、その切れ込み１ｄの中心側の端部より円周方向の隣の切れ込み１ｄの端部に近づくように長い切れ込み１ｅを入れることで形成されている。なお、切れ込み１ｄ、１ｅは図例のように、ばね舌片１ｂがばね座金１の厚み方向に引っ掛かりなく動作しやすいようにある程度の幅があることが望ましい。
【００２２】
ばね舌片１ｂの基端部１ｂａは、図１（ａ）および図２に示すように、ばね舌片１ｂよりも内側の円中央部１ｃと略同一高さ平面に位置し、先端部１ｂｂに向けて傾斜した形状となっている。より具体的には、挿通孔１ａの外周部とばね舌片１ｂの基端部１ｂａとが同一平面に連続形成されている。
【００２３】
図２（ａ）に示したものは、ばね舌片１ｂが弾性復帰した定常状態とされ、ばね座金１が固定具取り付け用の対象部材４の表面にばね舌片１ｂの先端部１ｂｂを足部として載せ置かれた状態が示してある。この状態で固定具３の端部（ボルト頭３Ａａ（図３参照）、ナット３Ｂ（図３参照）、リベット３Ｃのリベット頭３Ｃａ（図５（ａ）参照）またはリベット３Ｃのかしめ部３Ｃｂ（図５（ａ）参照））に相当するフランジ部３ａにより対象部材４に向けて押圧されると、ばね座金１が圧縮されてばね舌片１ｂの傾斜はなくなり、ばね舌片１ｂの表面は円中央部１ｃの表面と略面一状になる。
【００２４】
また、図２（ｂ）のように、ばね座金１を天地を逆にして配してもよく、その場合はばね座金１の円中央部１ｃの表面が対象部材４に接し、ばね舌片１ｂの先端部１ｂｂが固定具３のフランジ部３ａの裏側に配される。なおこの場合、ばね座金１にばね性を利かせるようにするためには、図２（ｂ）に示すように、ばね座金１と固定具３とには、ばね舌片１ｂの先端部１ｂｂが固定具３のフランジ部３ａに接するような寸法関係が必要とされる。
【００２５】
図３は、ばね座金１を固定具３であるナット３Ｂ側に配した例図であり、図２（ａ）のように配したばね座金１は、ボルト３Ａ、ナット３Ｂ間の押圧、挟持により中央部が押圧されて扁平状に圧縮変形する。
【００２６】
このように、ばね座金１には円周方向に沿ってほぼ全周にばね舌片１ｂが形成されているため、固定具３を用いて対象部材４を締結する際には、少なくともいずれかのばね舌片１ｂが弾性変形して、ほぼ確実にばね作用が発現する。そのため、このばね座金１を用いれば、ばね性が利かせられないという事態にはならない。
【００２７】
図４（ａ）（ｂ）は、他の実施形態に係るばね座金１の説明図である。このばね座金１は、平面視で直線的な４片のばね舌片１ｂが、概ね円周方向に沿って形成されており、同一方向（図例では時計回り）に傾斜している。それらのばね舌片１ｂは２片ずつが対向しており、略同形状、略同寸法のものが円周方向に概ね均等間隔に配置されている。また、ばね舌片１ｂの基端部１ｂａは円中央部１ｃと略同一平面となっている。
【００２８】
このような構成となっているため、このばね座金１についても図１に示したものと同様の効果が奏せられる。
【００２９】
また、図１に示したばね座金１はばね舌片１ｂが外周縁部に形成されているため、簡易に成形でき、製造コストを抑えることができる一方、図４に示したばね座金１はばね舌片１ｂが外周縁よりも内側に形成されているため、固定具３による押圧力がばね舌片１ｂに伝わりやすく、フランジ部３ａ（ボルト頭３Ａａなど）の径が小さい固定具３を用いる場合に適している。
【００３０】
これらのばね座金１は、リベット３Ｃ（図５参照）による締結にも用いることができる。特に、リベット３Ｃのかしめ部３Ｃｂはリベット３Ｃで締結する対象部材４の外面に平行に形成されないこともある。このようにかしめ部３Ｃｂに不具合がある場合には、かしめ部３Ｃｂ（フランジ部３ａ）による押圧力がばね座金１の偏った部位にのみ作用することとなるが、本ばね座金１はばね舌片１ｂが全周にわたって形成されているため、ばね座金１のばね性を利かせることができる。
【００３１】
リベット３Ｃは半永久的な締結用途に用いられる場合が多く、ばね座金１はそのような目的を有した種々の部材に用いられる。リベット３Ｃを用いる部材として、操作部を回転操作することで部材間の締め付けと緩みとを切り替え可能に行えるようにした軒樋支持具について、図５〜図７を参照して説明する。
【００３２】
この軒樋支持具Ａは、その取付部位である壁面等から、軒樋５（軒樋５を支持する樋支持具本体２０）までの出具合を可変とした支持具である。
【００３３】
この軒樋支持具Ａは、取付杆１０にスライド可能に連結される、長孔２３を有し板状に形成され長手方向の両端部に樋耳支持部２２を有した樋支持具本体２０と、横方向に回動されるロックレバー３０とを備え、これらを重ねて上下に貫通する固定具３（図５の例ではリベット３Ｃ）で連結し、樋支持具本体２０が所望の位置で固定される支持具である。
【００３４】
この軒樋支持具Ａは、図１に例示した本発明のばね座金１をさらに有して構成されている。また固定具３は、その両端部に樋支持具本体２０と取付杆１０とを挟持するフランジ部３ａを備えている。
【００３５】
樋支持具本体２０および取付杆１０の少なくとも一方側において、固定具による連結の対象部材４の外面と、その外面側のフランジ部３ａとの間には、固定具３の軸部３ｂに挿通されたばね座金１が介装されている。
【００３６】
この軒樋支持具Ａは、ロックレバー３０の回転操作によりロック位置とアンロック位置とに切り替えが自在とされており、ロック位置のときには、ばね座金１はばね舌片１ｂが弾性変形してフランジ部３ａと対象部材４との間に挟着される一方、アンロック位置のときには、ばね舌片１ｂが復帰状態となる。
【００３７】
この軒樋支持具Ａに用いられるばね座金１としては、図１や図４に示したものが使用される。すなわち、このばね座金１は、中央に固定具貫通用の挿通孔１ａを有した座金であり、挿通孔１ａの外側に、概ね円周方向に沿って延設されたばね舌片１ｂを複数備えている。なお、本軒樋支持具Ａでは図１に例示したばね座金１が用いてある。
【００３８】
軒樋支持具Ａは上記のような構成となっているため、固定具３がばね座金１を均等に押圧できず偏った部位のみを押圧する場合でもばね座金１のばね性は発現される。そのため、ロック位置の場合にロックの緩みが発生するおそれはほとんどない。
【００３９】
以下、この軒樋支持具Ａの構成について、図５〜図７を参照しながら詳述する。
【００４０】
軒樋支持具Ａを構成する主要部材である、取付杆１０、樋支持具本体２０、ストッパー座金４０、ロックレバー３０の４部材は、上から上記の順に重ねリベット３Ｃ（固定具３）で連結されるものである。ロックレバー３０はロック、アンロックを切り替え操作するための部材であり、これを横方向に回転操作してロック位置に動作させたときには４部材がロックの（固定された）状態となり、アンロック位置に動作させたときに出具合調節のための樋支持具本体２０のスライドが可能となる。つまり、アンロック位置では、ロックレバー３０は軸位置が取付杆１０と変わらず一定の位置にとどまり、それらの間に挟まれた樋支持具本体２０のみがスライド移動する。
【００４１】
この軒樋支持具Ａには、樋支持具本体２０を取付杆１０に圧接固定してスライドをロックする一方、圧接を解除してアンロックするロック機構が設けられている。このロック機構には、さまざまな機構があるが、ここではその一例として、ロックレバー３０とストッパー座金４０とを備えたものを例示する。
【００４２】
ロックレバー３０は、リベット３Ｃの軸部３ｂが貫通する軸孔部３２を有した基板部３１と、基板部３１の側端より下方に延設された把持部３３とを備えた構成とされる。この基板部３１における把持部３３間の略中央位置にはロック状態にするための２つのロック凹部３４が形成されている。これらのロック凹部３４の略中央に軸孔部３２が開設されている。
【００４３】
ストッパー座金４０は、ロックレバー３０の基板部３１と略同形状、略同寸法の矩形状の板状体とされる。このストッパー座金４０の下面側の前後には、幅方向に長く、山形状に膨出した膨出部４２が形成してある。この膨出部４２の峰の中央には略半球状のへそ部４２ａが形成してある。また、ストッパー座金４０の中央にはリベット３Ｃの軸部３ｂが貫通する軸孔部４１が開設してある。
【００４４】
また、ストッパー座金４０の上面側には、軸孔部４１の前後の対称位置に樋支持具本体２０の下面に形成された凹凸部２４の凹部２４ａに係止される一対の係止片４３を備えている。
【００４５】
取付杆１０、樋支持具本体２０、ストッパー座金４０、ロックレバー３０の４部材をリベット３Ｃで連結し、ロックレバー３０を図５に示した向きに配したとき（ロック位置）には、図６（ａ）に示すように、ストッパー座金４０の膨出部４２とロックレバー３０のロック凹部３４とが重なり、膨出部４２のへそ部４２ａがロック凹部３４の位置に合致する。本例では、ロック凹部３４が孔で形成されているため、図６（ａ）に示すように、へそ部４２ａは下面側に露出する。
【００４６】
取付杆１０は、軒先等に固定される取付足板１１の上端中央から前方に向けて足杆１２が延設され、この足杆１２の前方に段落ち形成された連結片部１３を有してなる。この連結片部１３には、下方に配設、重合する樋支持具本体２０、ストッパー座金４０、ロックレバー３０に対して固定具３で連結するための軸孔部１４が開設されている。
【００４７】
樋支持具本体２０は、長板状のスライド板本体２１の前後両端に、図５に示したような軒樋５を吊り下げ支持するための樋耳支持部２２を有している。なお、樋耳支持部２２は図例のものに限定されず、軒樋５の形状に応じて種々のものを採用できる。
【００４８】
また、スライド板本体２１の幅方向の中央には長手方向に沿って長孔２３が開設されている。この長孔２３は取付杆１０、ロックレバー３０の間に重合し、軸連結するための出具合調節用のスライド用孔である。
【００４９】
スライド板本体２１の板面の長孔２３の幅方向の両側には、長手方向に連続する凹凸部２４が形成されている。なお、本例の樋支持具本体２０では上下両面に連続凹凸が表出してあるが、連続凹凸が下面のみに形成されたものであってもよい。
【００５０】
この軒樋支持具Ａは、図５に示すように、取付杆１０、樋支持具本体２０、ストッパー座金４０およびロックレバー３０の４部材の各軸孔に上からリベット３Ｃを挿通し、ロックレバー３０の基板部３１の下側に突出したリベット３Ｃの下端にばね座金１を挿通したうえで、その下端をかしめ止めすることで連結されるようになっている。
【００５１】
このばね座金１は、上述したように、図１に示したものが、図５（ｂ）に示したように、図２（ａ）とは天地を逆にして、ばね舌片１ｂがロックレバー３０の基板部３１の裏面に接するように配されている。
【００５２】
図６は、上記４部材がリベット３Ｃで連結された軒樋支持具Ａの概略底面図である。図６（ａ）はロック位置、図６（ｂ）はアンロック位置での各概略底面図である。また、ロック位置に対応した軒樋支持具Ａの概略縦断面図が図７（ａ）であり、アンロック位置に対応した軒樋支持具Ａの概略縦断面図が図７（ｂ）である。なお、図６（ａ）（ｂ）および図７（ａ）（ｂ）の各図は模式図である。また、図７（ｂ）のロックレバーは図６（ｂ）の２点鎖線で示したものに対応している。
【００５３】
ロック位置とは、図６（ａ）および図７（ａ）に示すように、ロックレバー３０の基板部３１の長手方向が、図５（ａ）のように樋支持具本体２０の長手方向に合致した位置であり、一方、アンロック位置とは、図６（ｂ）および図７（ｂ）に示すように、ロックレバー３０の基板部３１の長手方向が樋支持具本体２０の長手方向に正しく向かない位置である。
【００５４】
さらに具体的には、ロック位置とは、ロックレバー３０の基板部３１がストッパー座金４０の膨出部４２に乗り上げ、基板部３１のロック凹部３４に膨出部４２のへそ部４２ａが入り込み、かつストッパー座金４０の係止片４３が凹凸部２４の凹部２４ａに入りこみ係止された状態位置を言う（図６（ａ）および図７（ａ）参照）。このとき、樋支持具本体２０、ストッパー座金４０およびロックレバー３０の基板部３１は相互に圧接固定された状態にある。
【００５５】
また、アンロック位置とは、ロックレバー３０の基板部３１がストッパー座金４０の膨出部４２から外れた状態位置を言う（図６（ｂ）および図７（ｂ）参照）。このとき、樋支持具本体２０、ストッパー座金４０およびロックレバー３０の基板部３１は相互の圧接固定が解除された状態にある。
【００５６】
なお、ロックレバー３０の回転角度がわずかな場合（ロック凹部３４がへそ部４２ａからずれた場合）は、ロックレバー３０の基板部３１の一部が膨出部４２に乗り上げたままの状態であり、ほぼロックされた状態であるが、このような状態で軒樋５が設置されることはなく、またスライド操作がなされることもない。換言すれば、ロックレバー３０の基板部３１が膨出部４２に乗り上げて図６（ａ）の位置でロックされる構成であれば、へそ部４２ａが形成されていないストッパー座金４０およびロック凹部３４が形成されていないロックレバー３０を用いてもよい。
【００５７】
そして、軒樋支持具Ａがロック位置にあるときには、ばね座金１のばね舌片１ｂはリベット３Ｃのかしめ部３Ｃｂのフランジ部３ａに押圧されて、図３と同様に扁平、平板状となっている一方、アンロック位置のときには、圧接固定が解除されるので、それにともなってばね座金１のばね舌片１ｂは復帰する。
【００５８】
図７（ａ）（ｂ）で２点鎖線で示したように、かしめ部３Ｃｂが傾いて形成されている場合には、ロック位置であってもフランジ部３ａの一部（図中の左側）がばね座金１から離れた状態にあるが、他の一部（図中の右側）はばね座金１を押圧しているため、ばね性（弾性復帰力）が発現することとなる。
【００５９】
以上のように、本ばね座金１はリベット３Ｃのかしめ部３Ｃｂ側に取り付ける場合に特に有効である。本軒樋支持具Ａのように、ロック位置、アンロック位置を繰り返し切り替えることでかしめ部３Ｃｂとばね座金１の位置関係が変動するものでは、ばね座金１が上述した構成となっているためロック位置でばね座金１はほぼ確実に弾発力が作用する。なお、ばね座金１はリベット頭３Ｃａ側に配してもよい。
【００６０】
ついで、ばね舌片３２ｂを一体に備えた軒樋支持具Ｂについて、図８および図９をもとに説明する。なお、この軒樋支持具Ｂにおける軒樋支持具Ａ（図５〜図７参照）と共通の部位については、同一の符号を付して、その説明を省略する。
【００６１】
この軒樋支持具Ｂは、図５の軒樋支持具Ａとは異なり、ばね座金１が用いられておらず、その代わりに、ロックレバー３０にばね舌片３２ｂが形成されている。ばね舌片３２ｂは、ロックレバー３０の基板部３１に一部を切り起こして形成されたものである。なお、軒樋支持具Ｂのロックレバー３０操作によるロック／アンロック操作、構造は図５〜図７のものと同様であり、その説明については省略する。
【００６２】
図８（ａ）は、ロックレバー３０の基板部３１の中央部を裏面側より見た図である。この基板部３１の中央部には軸孔部３２よりなる挿通孔３２ａが開設されており、その外周部を介した外側に３つのばね舌片３２ｂが形成されている。
【００６３】
ばね舌片３２ｂは、平面視で周方向に沿った湾曲形状とされ、切り起こしにより、基端部３２ｂａから先端部３２ｂｂまでがロックレバー３０の把持部３３間側に傾斜状に立ち上がっている。このばね舌片３２ｂがリベット３Ｃのかしめ部３Ｃｂのフランジ部３ａに押圧されて、扁平、平板状となり、ばね性（弾性復帰力）が発現することとなる。
【００６４】
図９（ａ）は、軒樋支持具Ｂがロック位置にあるときの状態の図であり、ばね舌片３２ｂはリベット３Ｃのかしめ部３Ｃｂのフランジ部３ａに押圧されている。また、図９（ｂ）は、軒樋支持具Ｂがアンロック位置にあるときの状態の図であり、ばね舌片３２ｂは復帰状態にある。
【００６５】
このように本軒樋支持具Ｂのように、ロック位置、アンロック位置を繰り返し切り替えることでかしめ部３Ｃｂとばね座金１の位置関係が変動するものでも、ばね舌片３２ｂが上述したように形成されているため、ロック位置でばね舌片３２ｂはほぼ確実にばね性を発揮し、ロック状態が保持される。
【００６６】
ようするに、以上の２つの実施形態に示した軒樋支持具Ａ、Ｂの基本構成は、次のようになっている。
【００６７】
軒樋支持具Ａ、Ｂは、取付杆１０にスライド可能に連結される、長孔２３を有し板状に形成され長手方向の両端部に樋耳支持部２２を有した樋支持具本体２０と、横方向に回動されるロックレバー３０とを備え、これらを重ねて上下に貫通する固定具３で連結し、樋支持具本体２０が所望の位置で固定される支持具である。
【００６８】
ロックレバー３０は、樋支持具本体２０と略平行に配される基板部３１を有しており、基板部３１には、固定具３が挿通される挿通孔３２ａを略中央に有している。また固定具３は、その両端部に樋支持具本体２０と取付杆１０とを挟持するフランジ部３ａを備えている。また、ロックレバー３０の基板部３１の下面と、基板部３１の挿通孔３２ａより下方に挿通された固定具３のフランジ部３ａとの間には、挿通孔３２ａの周方向に沿って複数のばね舌片１ｂ、３２ｂが設けられている。
【００６９】
そして、ロックレバー３０の回転操作によりロック位置とアンロック位置とに切り替えが自在とされている。ロック位置のときには、ばね舌片１ｂ、３２ｂが弾性変形してフランジ部３ａと基板部３１との間で弾発力が作用するように固定される一方、アンロック位置のときには、ばね舌片１ｂ、３２ｂが復帰状態となる。
【００７０】
このような軒樋支持具Ａ、Ｂによれば、固定具３がばね舌片１ｂ、３２ｂを均等に押圧できず偏った部位のみを押圧する場合でも、いずれかのばね舌片１ｂ、３２ｂが押圧され弾性変形して弾発力が作用する。そのため、ロック位置の場合にずれが発生するおそれがない。
【００７１】
また、図５に示した軒樋支持具Ａは、既存の軒樋支持具に上述したばね座金１を付加するだけで簡易に構成され得る。一方、図９に示した軒樋支持具Ｂは、ばね座金１などの他の部材を用いなくても、軒樋支持具Ｂにばね作用を持たせることができる。また、部品点数を減らすことができる。
【００７２】
つぎに、ばね舌片１ｂ、３２ｂのさらに他の例について、図１０（ａ）（ｂ）を参照して説明する。なお、このばね舌片１ｂ、３２ｂは、ばね座金１に形成してもよく、ロックレバー３０の基板部３１に形成してもよい。
【００７３】
図１、図４および図８に示したばね舌片１ｂ、３２ｂはいずれも、挿通孔１ａ、３２ａの外周方向に沿って延びる帯板状のものであるが、図１０に示したばね舌片１ｂ、３２ｂは図１０（ａ）（ｂ）に示すように、中央の挿通孔１ａ、３２ａに向けて傾斜状に立ち上がっている。
【００７４】
図１０（ａ）中の２点鎖線は、リベット３Ｃのかしめ部３Ｃｂのフランジ部３ａ略中心位置を示したもので、このフランジ部３ａがいずれのばね舌片１ｂ、３２ｂも押圧するようになっている。
【００７５】
なお、この例では円周方向に３つのばね舌片１ｂ、３２ｂが設けられているが、図１や図４、図８のものと異なり、ばね舌１ｂ、３２ｂ間が広くフランジ部３ａで押圧されない可能性があるため、この種のものでは４片、６片など多めのばね舌片１ｂ、３２ｂを持たせることが望ましい。
【符号の説明】
【００７６】
１            ばね座金
１ａ          挿通孔
１ｂ          ばね舌片
３            固定具
３Ａ          ボルト
３Ａａ        ボルト頭
３Ａｂ        軸部
３Ｂ          ナット
３Ｃ          リベット
３Ｃａ        リベット頭
３Ｃｂ        かしめ部
３ａ          フランジ部
３ｂ          軸部
４            対象部材
５            軒樋
Ａ            軒樋支持具
２０          樋支持具本体
３０          ロックレバー
３１          基板部
３２          軸孔部
３２ａ        挿通孔
３２ｂ        ばね舌片
４０          ストッパー座金
４１          軸孔部
４２          膨出部
４２ａ        へそ部
４３          係止片
【図１】
0006267264.tif 000002
【図２】
0006267264.tif 000003
【図３】
0006267264.tif 000004
【図４】
0006267264.tif 000005
【図５】
0006267264.tif 000006
【図６】
0006267264.tif 000007
【図７】
0006267264.tif 000008
【図８】
0006267264.tif 000009
【図９】
0006267264.tif 000010
【図１０】
0006267264.tif 000011